(57)【要約】  フットウェア（２）は、アウタ構造物（４０，４２）を有し、さらにワンピース型機能層（５４）と少なくとも１つの布地層（５６，５８）とを含む防水性の通気性積層体（５１）で形成されたブーティ（５０）を有するアッパー集成体（４）と、アッパー集成体に取り付けられたソール（６）とを含む。ブーティはその周方向に弾性を有しており、ブーティはフットウェアのトウ領域（９０）内の所定の位置に固定され、且つフットウェアのヒール領域（９６）内の所定の位置に固定されており、さらにブーティはその中足部分（９２）の上側ではアウタ構造物に取り付けられていない。
2020527078.tif 000002
【特許請求の範囲】
【請求項１】
アウタ構造物（４０，４２）と、防水性の通気性積層体で形成されたブーティ（５０）とをさらに含むアッパー集成体（４）、及び
前記アッパー集成体に取り付けられたソール（６）
を含んでなるフットウェア（２）であって、
前記防水性の通気性積層体（５１）が、ワンピース型機能層（５４）と、少なくとも１つの布地層（５６，５８）とを含み、
前記ブーティが、その周方向に弾性を有しており、
前記ブーティが、前記フットウェアのトウ領域（９０）内の所定の位置に固定され、且つ前記フットウェアのヒール領域（９６）内の所定の位置に固定されており、そして
前記ブーティは、その中足部分（９２）の上側では前記アウタ構造物（４０，４２）に取り付けられていない、フットウェア（２）。
【請求項２】
前記ブーティの中足部分（９２）の上側で、前記ブーティ（５０）と前記アウタ構造物（４０，４２）との間に空隙（５２）が存在している、請求項１に記載のフットウェア（２）。
【請求項３】
前記ブーティ（５０）と前記アウタ構造物（４０，４２）とが、前記前記ブーティの中足部分（９２）の上側で共同して延びることができる、請求項１又は２に記載のフットウェア（２）。
【請求項４】
前記中足部分（９２）が、足の舟状骨部位に対応する前記アッパー集成体の足甲部分から、前方へ向かって、足の中足点１−趾関節に対応する前記アッパー集成体の母指球部分までの長さの少なくとも８０％に沿って、具体的には少なくとも９０％に沿って、さらに具体的には１００％に沿って延びている、請求項１〜３のいずれか１項に記載のフットウェア（２）。
【請求項５】
前記中足部分（９２）が、前記アウタ構造物のアッパー舌革部分から、前方へ向かって、前記アウタ構造物のトウボックス領域までの長さの少なくとも８０％に沿って、具体的には少なくとも９０％に沿って、さらに具体的には１００％に沿って延びている、請求項１〜４のいずれか１項に記載のフットウェア（２）。
【請求項６】
前記ブーティ（５０）が前記アウタ構造物（４０，４２）に、前記中足部分（９２）のブーティの周囲の少なくとも５０％、具体的には少なくとも６０％、さらに具体的には少なくとも６５％を巡っては取り付けられていない、請求項１〜５のいずれか１項に記載のフットウェア（２）。
【請求項７】
前記ワンピース型機能層が、前記ブーティ（５０）の前記中足部分（９２）の上側でシームレスである、請求項１〜６のいずれか１項に記載のフットウェア（２）。
【請求項８】
前記ワンピース型機能層が、シームレスのワンピース型機能層である、請求項１〜７のいずれか１項に記載のフットウェア（２）。
【請求項９】
前記アッパー集成体（４）が集成インソール（４４）を含み、そして前記ブーティ（５０）が、前記トウ領域（９０）内で前記アウタ構造物（４０，４２）及び前記集成インソールのうちの少なくとも一方に、そして前記ヒール領域（９６）内で前記アウタ構造物及び前記集成インソールのうちの少なくとも一方に取り付けられている、請求項１〜８のいずれか１項に記載のフットウェア（２）。
【請求項１０】
前記ブーティ（５０）が、前記ブーティの前記中足部分（９２）の下側で前記集成インソール（４４）に取り付けられていない、請求項９に記載のフットウェア（２）。
【請求項１１】
前記ブーティ（５０）が、前記フットウェアの前記ソール（６）に向かって、前記アッパー集成体（４）の最も外側の下側部分を形成し、そして前記ブーティが前記トウ領域（９０）内で前記アッパー集成体の前記アウタ構造物（４０，４２）及び前記ソールのうちの少なくとも一方に、そして前記ヒール領域（９６）内で前記アッパー集成体の前記アウタ構造物及び前記ソールのうちの少なくとも一方に取り付けられている、請求項１〜８のいずれか１項に記載のフットウェア（２）。
【請求項１２】
前記ブーティ（５０）が、前記ブーティの前記中足部分（９２）の下側で前記ソール（６）に取り付けられていない、請求項１１に記載のフットウェア（２）。
【請求項１３】
前記ブーティ（５０）が、前記フットウェアのカラー領域（９８）内で前記アッパー集成体（４）の前記アウタ構造物（４０，４２）に取り付けられている、請求項１〜１２のいずれか１項に記載のフットウェア（２）。
【請求項１４】
前記ブーティ（５０）の、前記中足部分（９２）内の中足周囲が、前記中足部分内の足周囲の６０％〜９９％、具体的には７０％〜９５％、さらに具体的には８０％〜９０％である、請求項１〜１３のいずれか１項に記載のフットウェア（２）。
【請求項１５】
前記ブーティ（５０）が、その長手方向に弾性を有している、請求項１〜１４のいずれか１項に記載のフットウェア（２）。
【請求項１６】
前記ブーティ（５０）が、前記ブーティの長手方向における１０％伸び時に、最大１５Ｎ／ｃｍ、具体的には最大５Ｎ／ｃｍの長手方向弾性率を有する、請求項１５に記載のフットウェア（２）。
【請求項１７】
前記ブーティ（５０）が、その周方向における３０％伸び時に、最大１５Ｎ／ｃｍ、具体的には最大５Ｎ／ｃｍの周方向弾性率を有する、請求項１〜１６のいずれか１項に記載のフットウェア（２）。
【請求項１８】
前記ブーティ（５０）が、その長手方向及びその周方向のうちの少なくとも一方において、少なくとも７５％の弾性回復率を有する、請求項１〜１７のいずれか１項に記載のフットウェア（２）。
【請求項１９】
前記ワンピース型のシームレス機能層が、ｅＰＴＦＥ、ＰＵ、ＰＰ、ＰＥＳ、及び高密度ＰＥを含む、請求項１〜１８のいずれか１項に記載のフットウェア（２）。
【請求項２０】
前記少なくとも１つの布地層が、ニット布地、織布、又は不織布のうちの１種である、請求項１〜１９のいずれか１項に記載のフットウェア（２）。
【請求項２１】
前記アウタ構造物（４０，４２）が通気性アウタ材料を含む、請求項１〜２０のいずれか１項に記載のフットウェア（２）。
【請求項２２】
前記ソール（６）が、前記ソールの横方向側に向かって、且つ／又はソールの底面に向かって、水蒸気放出穴を有しており、足から生じた水蒸気が前記ブーティを通って、ソール内部を通って、そして前記水蒸気放出穴を通って、前記フットウェアの外部環境へ放出される、請求項１〜２１のいずれか１項に記載のフットウェア（２）。
【請求項２３】
請求項１〜２２のいずれか１項に記載のフットウェア内に使用するためのブーティ（５０）であって、前記ブーティが防水性の通気性積層体で形成されており、前記防水性の通気性積層体がワンピース型機能層と少なくとも１つの布地層とを含み、そして前記ブーティがその周方向に弾性を有している、ブーティ（５０）。
【請求項２４】
アウタ構造物（４０，４２）を有するアッパー集成体（４）とソール（６）とを含むフットウェア（２）を製造する方法であって、
防水性の通気性積層体（５１）で形成されたブーティ（５０）を提供する工程であって、前記防水性の通気性積層体（５１）はワンピース型機能層（５４）と少なくとも１つの布地層（５６，５８）とを含み、前記ブーティはその周方向に弾性を有する、工程と、
前記ブーティ（５０）を前記アッパー集成体（４）及び前記ソール（６）の内部空間内に配置する工程であって、前記ブーティを、前記フットウェアのトウ領域（９０）内の所定の位置に固定し、かつ、前記フットウェアのヒール領域（９６）内の所定の位置に固定するが、前記ブーティの中足部分（９２）の上側ではアウタ構造物に取り付けない、工程と、を含む方法。
【請求項２５】
前記ワンピース型機能層（５４）がシームレスのワンピース型機能層であるとともに、前記ブーティ（５０）を提供する工程が、前記シームレスのワンピース型機能層を、ラストに被せて延伸する工程を含む、請求項２４に記載の方法。
【発明の詳細な説明】
【技術分野】
【０００１】
本発明はフットウェアの分野にある。具体的には、本発明は、着用者の足の周りに全体にわたって防水性の構造を提供する防水性の通気性フットウェアの分野にある。
【背景技術】
【０００２】
防水性の靴は以前から知られている。近年、防水性であり且つ通気性でもある靴が開発されている。このような靴は着用者の足の周りに全体にわたって防水性の構造を提供すると同時に、通気性をも提供するので、着用者の足から出た湿分及び汗が靴内部から逃げることができる。このような靴は一般に、靴の内部空間の周りに延びる防水性・通気性メンブレンとも呼ばれる防水性且つ通気性の機能層の配置を有する。例えば、着用者の足の下部にある下側機能層を、着用者の足の上部及び側部にある上側機能層と、２つの機能層がこれらの周囲に沿って縫合シームによって接合された状態で合体させることができる。このようにすると、着用者の足の周りの防水性・通気性バッグを提供することができる。防水性・通気性フットウェアに対する以前のアプローチは使用者の履き心地良さの面では充分に満足できるものではなかった。
【発明の概要】
【発明が解決しようとする課題】
【０００３】
従って、防水性及び通気性を維持しつつ着用者の履き心地良さを改善するフットウェアを提供すると有利である。
【課題を解決するための手段】
【０００４】
本発明の模範的実施態様は、アウタ構造物とブーティとを有するアッパー集成体と、アッパー集成体に取り付けられたソールとを含むフットウェアを含む。ブーティは防水性の通気性積層体で形成されている。防水性の通気性積層体は、ワンピース型機能層と少なくとも１つの布地層とを含む。ブーティはブーティの周方向に弾性を有する。ブーティはフットウェアのトウ領域内の所定の位置に固定され、且つフットウェアのヒール領域内の所定の位置に固定され、そしてブーティはブーティの中足部分の上側ではアウタ構造物に取り付けられていない。
【発明の効果】
【０００５】
本発明の模範的実施態様は、フットウェア着用時に使用者の履き心地良さを改善する。具体的には、ブーティにワンピース型機能層を設け、ブーティの周方向に弾性を提供するとともに、ブーティの中足部分の上側でアウタ構造物に対して自由に動き得るようにすることによって、フットウェアの安定感と煩わしさのない感覚との間の最適化された折衷策が提供される。煩わしさのない感覚は、フットウェア内部における高レベルの動きの自由を知覚させることをも可能にする。ブーティをフットウェアのトウ領域内及びヒール領域内の所定の位置に固定し、ブーティの周方向に弾性を提供することにより、フットウェア内部に使用者の明確に定義されたスタンスがもたらされ、また、着用者の足の周りにブーティを弾性的に締め付けることに起因して全体的な安定感がもたらされる。ブーティを靴の前及び後ろに取り付けること、そしてブーティの周方向に弾性を提供することにより、着用者に支持とスタンス安心感とがもたらされ、ブーティの中足部分の上側ではアウタ構造物にブーティを取り付けないことにより、高レベルの動きの自由を知覚することが可能になる。ブーティの中足部分の上側でブーティとアウタ構造物とが相対運動する可能性は、高レベルの履き心地良さと、フットウェアによって閉じ込められていないという感覚とをもたらす一方で、着用者の安定感を損なわないことが見いだされた。ブーティの取り付け／非取り付けと、弾性との上記組み合わせは、安定性と動きの自由との間の最適化された折衷策をもたらし、ひいては着用者の履き心地良さを高める。ワンピース型機能層を有する防水性の通気性積層体を有するブーティは、記載の効果の全てを高める。ワンピース型の性質は、ブーティの弾性を着用者の足の周りに直接に存在させ、ブーティを使用者にとって安定感のある、履き心地良いものにする。また、シームが多くても１つしかないブーティをもたらすワンピース型の性質は、下述のように、履き心地の損失を極めて低くするか、又は完全に排除する。
【０００６】
「ブーティ」という用語は、ソックス様構造であって、フットウェア内へ挿入されたときに、着用者の足を収容する構造を意味する。ブーティは概ね、アッパー集成体のアウタ構造物とソールとの間の空間内、すなわち靴の内部空間内に配置される。ブーティはアッパー集成体のカラー領域において、靴の内部空間から外部へ延びてもよい。換言すれば、ブーティはアッパー集成体のアウタ構造物から上方へ向かって延びてよい。ブーティは防水性の通気性積層体で形成されている。こうして、ブーティは下述のように、最大で１つのシームを除いて、着用者の足の周り全体を巡るソックス様構造を提供する。この防水性の通気性ブーティ構造物は、着用者の足から生じた水蒸気を、ブーティを通して、アウタ構造物及び／又はソールを介してフットウェアの外部へ放出するのを可能にする。
【０００７】
防水性の通気性積層体はワンピース型機能層と少なくとも１つの布地層とを含む。ワンピース型機能層と少なくとも１つの布地層とは、ほぼ同一の広がりを有していてよい。「少なくとも１つの布地層」という用語は、ワンピース型機能層の一方の側に布地層が設けられるか、又はワンピース型機能層の各側に布地層が設けられる、すなわち２つの布地層が設けられてよいことを意味するものとする。２つ以上の布地層が一方の側又は両方の側に設けられることも可能である。加えて、各布地層が複数の布地片から形成されてもよい。例えば、防水性の通気性積層体はワンピース型機能層と、機能層の一方の側に設けられた１つの布地層とを含んでよく、この場合、この１つの布地層は互いに縫い合わされた複数の布地片から形成されている。換言すれば、ワンピース型機能層は、元は別々である布地片から形成された１つ又は２つ以上の布地層を備えていてよい。
【０００８】
機能層がワンピース型構造であるのに伴って、防水性の通気性積層体もワンピース型構造と考えられる。このことは、布地層が元は別々である布地片から形成されているか否かとは無関係である。布地層が元は別々である布地片から形成されている場合、少なくとも積層体がワンピース型機能層と複数の布地片とから形成されている個所に、ワンピース型積層体構造が存在する。従って、ブーティは１つの連続的な防水性の通気性積層体から形成されており、そしてやはりワンピース型構造と考えられる。具体的には、ブーティは連続的な防水性の通気性積層体から形成されており、この積層体は、本質的にブーティの形状を有するように成形されてよく、或いはブーティを形成するように切断され、折り曲げられ、そして縫合されるか又は接着されてよい。
【０００９】
前者の事例に基づくブーティの模範的構築方法は次の通りである。複数の布地片から布地層を形成してよい。ソックス様布地層が形成されるように、複数の布地片を寸法設定して縫合してよい。ソックス様布地層をラスト上に置いてよく、そして機能層をラストに被せて伸張させ、ソックス様布地層と接触させてよい。機能層を布地層に付着させ、防水性の通気性積層体をこうして形成する。この防水性の通気性積層体はブーティの本質的形状を有している。防水性の通気性積層体及びブーティは両方ともシームレスと考えられる。元は別々である布地片の間のシームが存在するならば、これらは前駆製品のシームと考えられ、ブーティの積層体のシームとは考えられない。少なくとも１つの布地層のうちの１つ又は２つ以上が同様にシームレスであることも可能である。
【００１０】
切断され、折り曲げられ、縫合／接着された、ブーティを形成する積層体の別の実施態様では、例えばワンピース型機能層と、元は別々の布地片から形成されたものでもよい、一方の側に位置する布地層とを有するほぼ平らな防水性の通気性積層体を用意する。積層体を折り曲げるとソックス様形状が形成されるような形状で、積層体を切断する。次いで、積層体のエッジを縫合又は接着して、ソックス様形状が保持されるようにする。
【００１１】
防水性の通気性積層体は、機能層と布地層とから成る二層積層体であってよい。防水性の通気性積層体は、機能層の互いに対向する側で機能層が第１布地層と第２布地層との間にサンドイッチされた、三層積層体であってもよい。防水性の通気性積層体は１つ又は２つ以上のさらなる層、例えば付加的な止水層を含んでもよい。止水層は機能層を水から遮断し、ひいては機能層の通気性を保証する。「機能層」という用語は、フットウェアの技術分野では広く使用される用語であり、防水特性と通気特性とを組み合わせた層を意味する。或いは、機能層は防水性の通気性メンブレンともしばしば呼ばれる。
【００１２】
機能層は通気性且つ防水性のメンブレンを含んでよく、又は通気性且つ防水性のメンブレンであってよい。メンブレンは、ポリウレタン、ポリエステル、ポリエーテル、ポリアミド、ポリアクリレート、コポリエーテルエステル、及びコポリエーテルアミド、並びに他の適宜の熱可塑性フィルム及びエラストマーフィルムから選択されてよい。具体的な実施態様では、防水性の通気性メンブレンはフルオロポリマー、具体的には微孔質延伸ポリテトラフルオロエチレン（ｅＰＴＦＥ）から形成されてよい。微孔質ポリテトラフルオロエチレンメンブレンは、Goreの米国特許第３，９５３，５６６号明細書及び米国特許第４，１８７，３９０号明細書に教示されているような延伸ポリテトラフルオロエチレンのメンブレンである。このような延伸ポリテトラフルオロエチレンメンブレンは、GORE-TEX （登録商標）ファブリックという商品名で、メリーランド州Elkton在W. L Gore and Associates, Inc.から商業的に入手可能な積層体として存在している。通気性且つ防水性の機能層は実質的に、メリーランド州Elkton在W. L Gore and Associates, Inc.に譲渡された米国特許第４，１９４，０４１号明細書及び米国特許第４，９４２，２１４号明細書の教示内容に従って形成された、ポリウレタン被覆された微孔質延伸ポリテトラフルオロエチレンメンブレンから成っていてよい。
【００１３】
ブーティはその周方向に弾性的である。換言すれば、着用者が足をフットウェア内へ挿入したときに、ブーティは伸張して、着用者の足のための室を形成するために弾性的に延伸する。このプロセスにおいて、ブーティは着用者の足にコンフォーミングし、それゆえこのブーティはコンフォーマブルブーティとも呼ばれる。「ブーティが弾性的である」とは、ブーティが着用者の足の挿入時に足に対して力を加えることを意味する。換言すれば、弾性はブーティを、着用者の挿入前のブーティの形状に強制的に向かわせる力を形成する。この力は、着用者の足に力を加えた後で、その以前の形状へ向かってブーティを復元させるのを可能にする。ブーティの弾性的な性質は任意の適宜の方法で達成することができる。弾性積層体を製造する具体的な例が国際公開第９５／３２０９３号パンフレットに記載されている。前記文献の内容はその全体を参照することにより本明細書中に援用される。
【００１４】
ブーティはその周方向に弾性的である。この表現は、ブーティがその全長に沿って周方向に弾性的であることを必要とはしない。ブーティは、その長さの本質的な部分に沿って弾性である。具体的には、ブーティは中足部分内で周方向に弾性的であってよい。しかしながら、ブーティはその全長に沿って弾性的であることも可能である。
【００１５】
ブーティはアッパー集成体のアウタ構造物の下部及びアウタ構造物内部へ向かって配置されている。「アウタ構造物」という用語は概ね、ソールの上部上の、靴の外側から見られる靴部分を意味する。アウタ構造物は、これらの材料の目に見えない延在部分、例えばラスティングされたアッパー材料をも含む。アウタ構造物はさらに、たとえ外側からは見えなくても、足の上方及び足の側部の付加的な構造、例えば隠された舌革を含む。
【００１６】
ブーティはブーティの中足部分の上側ではアウタ構造物に取り付けられていない。換言すれば、ブーティは、中足部分の上側ではアウタ構造物に対する取り付け部／取り付け点がない。さらに換言すれば、ブーティは中足部分の上側では、アウタ構造物に対して自由に動くことができる。具体的には、ブーティはアッパー集成体のアウタ構造物の中足部分に取り付けられないことが可能である。
【００１７】
積層体は防水性且つ通気性である。防水性の通気性積層体によって形成されているので、ブーティも防水性且つ通気性である。ブーティがソックス様形状を生じさせるように機能層のエッジを結合するシームを有する場合には、シーム領域は防水性にされる。例えば、防水性シームテープをシーム領域に沿って配置することができる。ブーティが防水性且つ通気性であるのに伴って、フットウェア全体が防水性の通気性フットウェアと呼ばれることもある。ブーティは着用者の足の周りに防水性バッグを形成し、フットウェア全体に防水性を与える。フットウェアは通気性である。なぜならば、アウタ構造物が通気性アウタ材料を有しており、且つ／又はソールが通気性であるからである。ソールは下述するように通気性材料から形成されてよく、且つ／又は通気性構造を有してもよい。
【００１８】
「アッパー集成体」及び「ソール」という用語は概ね、本明細書中に記載されるように、伝統的な靴製造法に基づいて別々に又は続いて製造される構造を意味する。しかしながら、靴製造法の進歩により、アッパー集成体とソールとを一体構造として形成することもできる。例えば、アッパー集成体とソールとの組み合わせは３Ｄニットとして、又は別の３Ｄ製造法に従って製造することもできる。アッパー集成体及びソールの両方を含むこのような一体構造も、ここに主張されるフットウェアに包含される。アッパー集成体が着用者の足の周りに一体構造を含み、この一体構造が１つの一体構造として形成された通気性アウタ材料とインソールとを有し、この一体構造内へブーティが挿入されることも可能である。
【００１９】
さらなる実施態様によれば、ブーティの中足部分の上側で、ブーティとアウタ構造物との間に空隙が存在している。フットウェア内へ足が挿入されていないときに空隙は存在する。フットウェア内へ足が挿入されているときに空隙がまだ存在することもさらに可能である。ブーティとアウタ構造物との間の空隙は、別の材料によるいかなる抵抗もなしに、中足部分の上側でブーティが延伸するのを可能にする。このようにすると、ブーティの中足部分の上側は特に自由に動くことができ、ひいては着用者に顕著な履き心地良さをもたらし、また動きの自由を知覚させる。
【００２０】
さらなる実施態様によれば、ブーティと、ブーティの中足の上側にあるアウタ構造物との間に、圧縮性材料層が存在する。圧縮性材料は運動の自由を可能にすると同時に、空隙よりもいくらか強い安定性フレームを足に提供することもできる。ブーティと、ブーティの中足の上側にあるアウタ構造物との間に、圧縮性材料と空隙との両方を有することも可能である。圧縮性材料は、ブーティの上側又はアウタ構造物に取り付けられてよい。しかしながら、アウタ構造物に対するブーティの相対運動が損なわれないようにするために、圧縮性材料はアウタ構造物とブーティとの両方に取り付けてはならない。
【００２１】
さらなる実施態様によれば、ブーティとアウタ構造物とが、ブーティの中足部分の上側で共同して延びることができる。上述のように、ブーティの周方向弾性は、着用者の足の挿入時にブーティの延伸を可能にする。ブーティとアウタ構造物とが共同して延びることができるのに伴って、これら２つの構造が着用者の足を一緒に支持することができる。２つの構造の相対運動の可能性は、中足部分の上側には取り付け部がないことにより保証される。
【００２２】
さらなる実施態様によれば、中足部分が、足の舟状骨部位に対応するアッパー集成体の足甲部分から、前方へ向かって、足の中足点１−趾関節に対応するアッパー集成体の母指球部分までの長さの少なくとも８０％に沿って、具体的には少なくとも９０％に沿って、さらに具体的には１００％に沿って延びている。換言すれば、ブーティの上側は、足の舟状骨部位に対応するアッパー集成体の足甲部分から、前方へ向かって、足の中足点１−趾関節に対応するアッパー集成体の母指球部分までの長さの少なくとも８０％に沿っては、具体的には少なくとも９０％に沿っては、さらに具体的には１００％に沿っては、（少なくともブーティの上側では）アウタ構造物に取り付けられていない。足の舟状骨部位及び足の中足点１−趾関節は、人間の足の明確に定義された解剖学的部分である。これらは具体的には所与の足サイズに関して明確に定義される。足サイズは、所与の靴サイズの対応する足甲部分及び対応する母指球部分の導出を可能にする。舟状骨部位と中足点１−趾関節との間に位置する足の上側の極めて広い部分又は部分全体において、ブーティがアウタ構造物に対して相対運動するのを可能にすることによって、高レベルの動きの自由を知覚させることができ、また高レベルの履き心地良さを達成し得ることが判っている。
【００２３】
さらなる実施態様によれば、中足部分は、アウタ構造物のアッパー舌革部分から、前方へ向かって、アウタ構造物のトウボックス領域までの長さの少なくとも８０％に沿って、具体的には少なくとも９０％に沿って、さらに具体的には１００％に沿って延びている。換言すれば、ブーティは、アウタ構造物のアッパー舌革部分から、前方へ向かって、トウボックス領域までの長さの少なくとも８０％に沿っては、具体的には少なくとも９０％に沿っては、さらに具体的には１００％に沿っては、（少なくともブーティの上側では）アウタ構造物に取り付けられていない。このようにすると、ブーティの上側の取り付けなしの部分を、基礎靴構造物に関して最大化することができる。具体的には、アウタ構造物のカラー領域とのブーティの取り付け部が存在してよいアッパー舌革部分と、ブーティ及び残りの靴構造物の間のさらなる取り付けが行われるトウボックス領域との間の領域は取り付け点がないままであってよく、ひいては所与の靴構造物に対応する中足部分内のブーティの上側において動く自由を最大化させることができる。フットウェア技術において、トウボックス領域は靴の明確に定義された部分である。この部分において、足のつま先部分は特定のフットウェア構造物内へ埋め込まれる。
【００２４】
さらなる実施態様によれば、ブーティがアウタ構造物に、中足部分内のブーティの周囲の少なくとも５０％、具体的には少なくとも６０％、さらに具体的には少なくとも６５％を巡っては取り付けられていない。換言すれば、ブーティの周囲の少なくとも５０％、具体的には少なくとも６０％、さらに具体的には少なくとも６５％がアウタ構造物に取り付けられていない。さらに換言すれば、ブーティの周囲の少なくとも５０％、具体的には少なくとも６０％、さらに具体的には少なくとも６５％がフットウェア内部で自由に動くことができ、この場合、自由な周囲部分がブーティの上側部分を形成する。所与の値は、ブーティの中足部分に沿った全ての断面に関連する。このようにすると、ブーティの広い非取り付け領域が中足部分内に設けられるので、動きの自由が着用者によって特によく感じられるようになる。具体的には、ブーティの中足部分の上側、すなわちブーティの中足部分の非取り付け部分は、ブーティの中足周囲の５０％〜９０％、具体的には６０％〜８５％、さらに具体的には６５％〜８５％の延びを有していてよい。従って、ブーティの中足周囲の小さな部分、具体的には１０％〜１５％は、取り付けのために使用されてよい。この小さな取り付け部分はブーティの中足部分の下側に、すなわちソール又はインソールに向かって設けられている。ブーティが中足部分内の全周を巡って取り付けられなくてもよいことが強調される。
【００２５】
さらなる実施態様によれば、ワンピース型機能層はブーティの中足部分の上側でシームレスである。上述のように、またさらに下述するように、ワンピース型機能層は全体的にシームレスであってよく、或いはただ１つの機能層片／積層体片から形成されてもよい。この機能層片／積層体片はそのエッジを縫合／接着することによってブーティ形状にされる。両事例において、上述したように、布地層を形成するために使用される布地片の数とは無関係にブーティはワンピース型ブーティと考えられる。前者の事例では、ブーティはシームレスと考えられる。後者の事例では、ブーティはシームを有すると考えられる。このシームは、ブーティの中足の上側が前記シームを含まないように、すなわちシームレスであるように、配置されてよい。単純な事例では、１つのシームを有するワンピース型ブーティを、ラストの周りに巻き付けられてそのエッジのところで縫合された特定の積層体切片として可視化することができる。積層体の切片は、これがラストを完全に覆うような形状を有している。結果として得られるシームは、人の足の複雑な形状に積層体を適合させるための種々の部分シームを有していてよいものの、これは、ワンピース型機能層／積層体のエッジを纏める単一のシームと依然として考えられる。ブーティの防水性は、防水性シームテープを前記シームに沿って使用することにより保証することができる。ブーティの中足部分の上側でシームレスであるというワンピース型機能層の特徴は、前記シームが存在するならば、これがブーティの中足部分の上側領域内では延びていないことを意味する。それどころか、ブーティは、シームが存在するならばこれが中足部分内のブーティの下側に沿って延びるように配置される。特定の実施態様では、ワンピース型機能層はブーティの上側全体でシームレスである。さらに、ワンピース型機能層がブーティの中足部分の上側でシームレスであることに伴って、その全ての層を含むブーティ全体がブーティの中足部分の上側でシームレスであり得ることが明示的に指摘される。ブーティの中足部分の上側にシームが存在しないことに伴って、足の上側部分は、いかなるシームにも擦れることがなく、このことは使用者によって知覚される履き心地良さを増大させる。
【００２６】
さらなる実施態様によれば、ワンピース型機能層はシームレスのワンピース型機能層である。上述のように、機能層がシームレスのワンピース型機能層であることに伴って、防水性の通気性積層体を形成するために使用される布地片の数とは無関係に、ブーティもシームレスのワンピース型ブーティと考えられる。具体的には、機能層は、例えば機能層をラスト及び布地層に被せて延伸させることにより、ブーティの形状に本質的に成形することができ、ひいてはシームを有しない。換言すれば、機能層／積層体は、ブーティの形状を有するために、すなわちソックス様形状を有するように製造することができ、この場合、機能層／積層体の種々異なる部分を互いに取り付ける必要はない。具体的には、この事例では機能層／積層体のエッジを縫合又は接着する必要はない。このようなブーティ形状の防水性且つ通気性の機能層構造物は、例えば国際公開第２０１５／１２３４８２号パンフレットからそれ自体公知である。前記文献の内容はその全体を参照することにより本明細書中に援用される。具体的には、機能層を平面層からどのようにしてブーティ形構造に変形させ得るかが知られている。前記製造法の詳細に関しては、国際公開第２０１５／１２３４８２号パンフレットが参照される。シームレスのワンピース型機能層、ひいてはシームレスのワンピース型ブーティを提供することによって、着用者に特に高レベルの履き心地良さをもたらすことができる。なぜならば、全体的な安定感、履き心地良さ、及び動きの自由を妨げるシームがないからである。
【００２７】
さらなる実施態様によれば、アッパー集成体は集成インソールを含み、そしてブーティは、トウ領域内でアウタ構造物及び集成インソールのうちの少なくとも一方に、そしてヒール領域内でアウタ構造物及び集成インソールのうちの少なくとも一方に取り付けられている。集成インソールはブーティの下方に配置されている。アウタ構造物は、集成インソールの外周部分内で集成インソールに取り付けられていてよく、例えばアウタ構造物のアッパー材料が集成インソール上にラスティングされてよい。集成インソールは、水蒸気が集成インソールを通して、フットウェアのソール上へ放出されるように通気性であってよい。しかしながら、集成インソールが通気性材料から形成されないことも可能である。フットウェアのトウ領域及びヒール領域の両方において、ブーティはアウタ構造物及び集成インソールの一方に、又はアウタ構造物及び集成インソールの両方に取り付けられてよい。
【００２８】
さらなる実施態様によれば、ブーティは、ブーティの中足部分の下側で集成インソールに取り付けられていない。このようにすると、ブーティはその中足部分内では全体的に取り付けられていないことになる。このようになっていると、周囲の靴構造物に対する動きの自由は、中足部分内の着用者の足のために最大化される。弾性ブーティによって提供される安定感は、足の中足部分のための最大のフレキシビリティと対を成す。
【００２９】
ブーティがブーティの中足部分の下側で集成インソールに取り付けられることも可能であることが指摘される。具体的には、ブーティはブーティの中足周囲の、最大で５０％を巡って、具体的には最大で４０％を巡って、さらに具体的には最大で３０％を巡って、さらに具体的には最大で２０％を巡って、さらに具体的には最大で１０％を巡って集成インソールに取り付けられてよい。所与の値によって、安定性とフレキシビリティとの間の所望の折衷策を達成し得る一方、中足部分内に何らかの取り付け形態を提供することにより、フットウェア内部のブーティの明確に定義された位置的な配置が可能になる。やはりここでも、所与の値はブーティの中足部分の全ての断面に関する。
【００３０】
さらなる実施態様によれば、ブーティは、フットウェアのソールに向かって、アッパー集成体の最も外側の下側部分を形成し、そしてブーティがトウ領域内でアッパー集成体のアウタ構造物及びソールのうちの少なくとも一方に、そしてヒール領域内でアッパー集成体のアウタ構造物及びソールのうちの少なくとも一方に取り付けられている。ブーティがアッパー集成体の最も外側の下側部分を形成することは、ブーティの下部に別個の集成インソールが設けられていないことを意味する。具体的には、ブーティの下側部分は、集成インソールの機能を担うことができ、製造中にアッパー集成体の安定性をもたらし、そしてソールに取り付けるための、アッパー集成体の明確に定義された下側部分を提供する。この場合、ソールはブーティに直接に取り付けられてよい。トウ領域及びヒール領域の両方において、アウタ構造物及びソールのうちの一方、又はこれらの構造の両方にブーティを取り付けてもよいことが指摘される。
【００３１】
さらなる実施態様によれば、ブーティは、ブーティの中足部分の下側ではソールに取り付けられていない。このようにすると、動きの最大限の自由及びフレキシビリティがフットウェアの中足部分内でブーティにもたらされる。ブーティがブーティの中足部分の下側に取り付けられてもよいことが指摘される。具体的には、ソールは集成インソールに関して上述したものと同じブーティ周囲の部分に沿って、ブーティの下側に取り付けられてよい。射出型ソールの具体的事例では、ソールはブーティ上に直接に射出され、そしてブーティ及びアッパー集成体のアウタ構造物上に形成されてよい。このプロセスにおいて、ソールはブーティに対する強力な取り付け部を形成し得る一方、取り付け面積を製造プロセスにおいて厳密に制御することができ、ブーティの大きな運動自由度を得るために小さく保つことができる。
【００３２】
さらなる実施態様によれば、ブーティは、フットウェアのカラー領域内でアッパー集成体のアウタ構造物に取り付けられている。具体的には、ブーティは靴のインステップ部分の周り、すなわち着用者が足を挿入する履口の周りでアウタ構造物に取り付けられてよい。このようにすると、トウ領域及びヒール領域以外の第３取り付け領域が提供されるので、上述のように、使用者の履き心地良さにとって極めて望ましい、中足部分内の動きの自由を維持しながら、ブーティはフットウェアの残りに対して所定の位置に強力に固定される。
【００３３】
さらなる実施態様によれば、ブーティの、中足部分内の中足周囲は、中足部分内の足周囲の６０％〜９９％、具体的には７０％〜９５％、さらに具体的には８０％〜９０％である。このようにすると、ブーティは、足挿入時に延伸し、その弾性により、すなわち足にブーティの圧力が加えられることにより、快い安定感と履き心地良さとをもたらす。ブーティの所与の中足周囲によって、僅かな背圧の心地良い安定したフィット性と、背圧による拘束感のない充分な動きの自由との間の特に快い折衷策を達成することができる。足周囲は所与の靴サイズの典型的な足の周囲である。典型的な足は変形していない足、すなわち異常な変形のない足である。従って、足周囲は、足の解剖学的特性に従って、すなわち医学書に示された特性に従って定義することができる。足周囲を、測定された足周囲から成る関連集合の平均値又は中央値と定義することもできる。
【００３４】
さらなる実施態様によれば、ブーティはブーティの長手方向に弾性を有している。このようにすると、ブーティはブーティの周方向及びブーティの長手方向の両方に弾性を有し、ひいては安定感及び履き心地良さとを着用者に改善された状態で提供する。周方向の弾性に加えて長手方向の弾性を有する場合、ブーティは二軸弾性を有するとも言われる。
【００３５】
さらなる実施態様によれば、ブーティはブーティの長手方向における１０％伸び時に、最大１５Ｎ／ｃｍ、具体的には最大５Ｎ／ｃｍの長手方向弾性率を有する。弾性は１０％の伸びに試料を維持するのに必要となる力として測定される。ｃｍ値はブーティの試料の幅を意味する。弾性は２００５年７月版のＤＩＮ  ＥＮ  １４７０４−１に従って測定される。所与の値は、特に履き心地良いフィット性を有するブーティを提供し、安定した履き心地良いフィット性のために足に多少の力を加える一方、過度の圧力による足の拘束感を回避することが判っている。特定の実施態様では、ブーティはブーティの長手方向における１０％伸び時に少なくとも０．５Ｎ／ｃｍの長手方向の弾性を有する。このようにすると、安定性及び履き心地良いフィット性を得るための最小量の圧力を達成することができる。ブーティの弾性は例えば、所望の収縮力を有する布地を、少なくとも１つの布地層のために使用することによって調整されてよい。
【００３６】
さらなる実施態様によれば、ブーティは、ブーティの周方向における３０％伸び時に、最大１５Ｎ／ｃｍ、具体的には最大５Ｎ／ｃｍの周方向弾性率を有する。周方向の伸びは、ブーティ試料に関して、例えばブーティが切り開かれたときのブーティ材料に関して定義される。換言すれば、伸び値は、本明細書中に記載されたフットウェア内へ挿入されたままのブーティに対して定義されることはない。なぜならば、ブーティの周方向における伸長は、ブーティの２つの層を同時に伸張させることを必要とするからである。所与の弾性値は、安定性を伝える、足に加えられる周方向圧力と履き心地良いフィット性との間に極めて心地良い折衷策を提供する一方、弾性圧力を煩わしいものとして知覚されない値に維持することが判っている。具体的には、ブーティはブーティの周方向における３０％伸び時に少なくとも０．５Ｎ／ｃｍの周方向の弾性を有することができる。このようにすると、着用者の足に加えられる履き心地良い最小限の背圧を達成することができる。ブーティの弾性は例えば、所望の収縮力を有する布地を、少なくとも１つの布地層のために使用することによって調整されてよい。
【００３７】
さらなる実施態様によれば、ブーティは、ブーティの長手方向及びブーティの周方向のうちの少なくとも一方で、少なくとも７５％の弾性回復率を有する。具体的には、ブーティは、ブーティの長手方向及びブーティの周方向の両方で、少なくとも７５％の弾性回復率を有する。弾性回復率はやはり２００５年７月版のＤＩＮ  ＥＮ  １４７０４−１に従って測定されてよい。このような弾性回復率によって、ブーティの、ひいてはフットウェアの履き心地良いフィット性が長時間にわたって持続される。ブーティは使用後にその元の形状近くに又は完全に元の形状に戻ることができるので、フットウェアを次回に使用する時には同じ又はほぼ同じの履き心地良いフィット性を経験することになる。
【００３８】
さらなる実施態様によれば、ワンピース型機能層は、ｅＰＴＦＥ（延伸ポリテトラフルオロエチレン）、ＰＵ（ポリウレタン）、ＰＰ（ポリプロピレン）、ＰＥＳ（ポリエステル）、及び高密度ＰＥ（高密度ポリエチレン）を含む。所与の材料の全ては、防水性且つ通気性の機能層を形成するのに適しており、また前記弾性を達成するのにも適している。特定の実施態様では、機能層はｅＰＴＦＥメンブレンである。防水性の通気性積層体が上述の材料のうちの相異なる材料から成る層を有することも可能である。例えば、防水性の通気性積層体はｅＰＴＦＥ層並びにＰＵ層を有してよく、ＰＵ層はｅＰＴＦＥ層から水を遮断し、ひいてはｅＰＴＦＥ層の通気性が水によって損なわれないことを保証する。
【００３９】
さらなる実施態様によれば、少なくとも１つの布地層は、ニット布地、織布、又は不織布のうちの１種である。具体的には、少なくとも１つの布地層のそれぞれがニット布地、織布、又は不織布のうちの１種であってよい。ニット布地、織布、又は不織布は、本明細書中に記載されたフットウェアのブーティに特に適している。なぜならば、これらの材料は特に有益な弾性／伸張性の形で製造し得るからである。このようにすると、これらの材料はブーティの弾性に効果的に関与することができる。使用され得るこれらの種類及びその他の種類の布地において、繊維は弾性繊維、例えばポリアミド、例えばナイロン、又はポリウレタン、例えば特にLycraという商標名で販売されているエラスタンス又はスパンデックス、又はゴムから形成された繊維であってよい。布地を伸張性にするために全ての繊維が弾性的である必要はない。種々異なる繊維、例えば２０％のポリウレタンと８０％のポリアミドとから形成された糸を使用することが可能である。例えばニットの形で、或いは布地内の繊維をテクスチャ化、例えばクリンプすることによって、適宜の繊維構造を提供することにより、伸張性布地が提供されてもよい。
【００４０】
さらなる実施態様によれば、アウタ構造物は通気性アウタ材料を含む。具体的な実施態様では、アウタ構造物は本質的に通気性アウタ材料から成っていてよい。このようにすると、ブーティ及び通気性アウタ材料は、極めて数少ない層によって外部環境に通じる水蒸気放出路を提供することができる。こうして、水蒸気を特に効率的に放出することができる。
【００４１】
さらなる実施態様によれば、ソールは、ソールの横方向側に向かって、且つ／又はソールの底面に向かって、水蒸気放出穴を有しており、足から生じた水蒸気がブーティを通って、ソール内部を通って、そして水蒸気放出穴を通って、フットウェアの外部環境へ放出される。このようにすると、水蒸気はソールを通って放出することができ、足の下側からフットウェアの外部環境までの短く効果的な水蒸気放出路が提供される。従って、ソールが通気性材料から製造されているか否かとは無関係に、ソールを全体的に通気性ソールと見なすことができる。ソールを通した水蒸気放出は、アッパー集成体のアウタ構造物を通した水蒸気放出に加えられていてよく、具体的にはアッパー集成体の通気性アウタ材料を通した水蒸気放出に加えられていてよい。
【００４２】
本発明の模範的実施態様はさらに、上記実施態様のいずれかに記載のフットウェア内に使用するためのブーティであって、ブーティが防水性の通気性積層体で形成されており、防水性の通気性積層体がワンピース型機能層と少なくとも１つの布地層とを含み、そしてブーティがブーティの周方向に弾性を有している、ブーティを含む。フットウェアに関して上述した変更形、付加的な特徴、及び効果は、前記フットウェア内に使用するためのブーティにも同様に当てはまる。
【００４３】
本発明の模範的実施態様はさらに、アウタ構造物を有するアッパー集成体とソールとを含むフットウェアを製造する方法であって、方法が、防水性の通気性積層体で形成されたブーティを提供する工程であって、防水性の通気性積層体は、ワンピース型機能層と少なくとも１つの布地層とを含み、ブーティがブーティの周方向に弾性を有する、工程と、ブーティがフットウェアのトウ領域内の所定の位置に固定され、またフットウェアのヒール領域内の所定の位置に固定され、そしてブーティがブーティの中足部分の上側ではアウタ構造物に取り付けられていない状態で、ブーティをアッパー集成体及びソールの内部空間内に配置する工程と、を含む、フットウェアを製造する方法を含む。フットウェアに関して上述した変更形、付加的な特徴、及び効果は、フットウェアを製造する方法にも同様に当てはまる。「アッパー集成体及びソールの内部空間」という用語は、足を受容するために意図されたフットウェアの空間を示す。アッパー集成体及びソールの両方がこの空間の周りに配置されているので、これはアッパー集成体及びソールの内部空間と表現される。しかしながら、アッパー集成体がこの空間全体を収容し、ソールがアッパー集成体の一部、例えば集成インソールによってこの空間から分離されていることも可能である。このような構造は、アッパー集成体及びソールの内部空間という用語に包含される。「ブーティをアッパー集成体及びソールの内部空間内に配置する」は、前記内部空間内にブーティを挿入すること、及びブーティの周りにフットウェアのアウタ構造を形成することの両方を包含する。
【００４４】
さらなる実施態様によれば、ワンピース型機能層がシームレスのワンピース型機能層であるとともに、ブーティを提供する工程が、シームレスのワンピース型機能層を、ラストに被せて延伸する工程を含む。
【００４５】
本発明のさらなる模範的実施態様を添付の図面に関連して説明する。
【図面の簡単な説明】
【００４６】
【図１】図１は、本発明の模範的実施態様に基づくフットウェアを示す縦断面図である。
【図２】図２は、図１のフットウェアを示す横断面図である。
【図３】図３は、本発明の別の模範的実施態様に基づくフットウェアを示す縦断面図である。
【図４】図４は、図３のフットウェアを示す横断面図である。
【図５】図５は、人間の足の骨格を示す上面図である。
【図６】図６は、本発明の別の模範的実施態様に基づくフットウェアを示す縦断面図である。
【図７】図７は、本発明のさらに別の模範的実施態様に基づくフットウェアを示す縦断面図である。
【図８】図８は、本発明の模範的実施態様に基づくフットウェア内に使用されるべき防水性の通気性積層体の模範的実施態様を示す横断面図である。
【発明を実施するための形態】
【００４７】
図１は、本発明の模範的実施態様に基づくフットウェア２を示す縦断面図である。図１の断面平面はほぼフットウェア２の中心を通って延びている。図１の模範的実施態様において、フットウェア２は、ブーツタイプの靴とも呼ばれるブーツである。ブーツのアッパー集成体は、着用者のくるぶしを超えて上方に向かって延びている。図示のブーツタイプの靴は事実上一例にすぎず、他のタイプのフットウェア／靴、具体的にはローシューズを同様に構築することもできる。
【００４８】
靴２はアッパー集成体４とソール６とを含む。靴はラスティングされた構造物を有する。アッパー集成体４は通気性アウタ材料４０、例えば皮革、スエード、布地、又は任意の他の適宜の材料と、集成インソール４４とを含む。通気性アウタ材料４０は底部から集成インソール４４上に周辺でラスティングされる。具体的には、通気性アウタ材料４０はラスティング接着剤を用いて集成インソール４４の底部上にその周辺を巡るように接着される。
【００４９】
アッパー集成体４はさらに舌革４２を含む。図１の模範的実施態様では、舌革４２は元は通気性アウタ材料４０とは別個の構造であり、例えば縫合又は接着を介して通気性アウタ材料に取り付けられている。舌革４２と通気性アウタ材料４４とが連続的な材料片から一体的に形成されることも可能である。通気性アウタ材料４０と舌革４２とはフットウェア２のアウタ構造物を形成する。概ね、フットウェア２のアウタ構造物は単一の一体構造、例えば三次元ニットであってよく、或いは例えば革靴／ブーツにおいて一般的であるように、元は別々の種々の通気性材料片から集成されてもよい。
【００５０】
図１の模範的実施態様では、ソール６は非通気性材料の中実構造、例えば中実プラスチック構造である。図１の模範的実施態様では、ソール６はアッパー集成体４の下側上へ射出され、アウタ材料４０のラスティングされた部分と、集成インソール４４とに対して射出プロセス中に強い結合を形成する。ソール６はアッパー集成体４の下側部分に接着されてもよい。下述するように、ソール６が本質的に通気性の材料、例えば皮革から形成されること、且つ／又はソールが、ソールを通る通気を可能にする構造を有することもさらに可能である。
【００５１】
アッパー集成体４はさらにブーティ５０を含む。ブーティ５０はソックス様構造である。この構造は、通気性アウタ材料４０と舌革４２とを含むアッパー集成体のアウタ構造物と、集成インソール４４との間の空間内へ挿入される。アッパー集成体４の内部空間内に配置されるので、ブーティ５０は靴インサートと呼ばれることもある。図１の模範的実施態様では、ブーティ５０の上端部はアウタ材料４０の上端部と同じ高さにある。ブーティ５０の上端部がアウタ材料４０の上端部の下方で終わるか、又はアウタ材料４０の上端部の上方に延びることも可能である。
【００５２】
ブーティ５０は、防水性の通気性積層体で形成されている。具体的には、図１の模範的ブーティ５０は、ソックス様形状に成形された防水性の通気性積層体である。防水性の通気性積層体はワンピース型のシームレス機能層である。この機能層は、機能層を靴ラストに被せて伸張させることにより製造される。加えて、防水性の通気性積層体は、２つの布地層を含む。これらの布地層は機能層の対向側に配置され、機能層に接着される。従って、ブーティ５０は三層型の防水性の通気性積層体で形成されている。
【００５３】
フットウェア２は前足部分９０と、中足部分９２と、後足部分９４とを有している。前足部分９０と、中足部分９２と、後足部分９４とは図１の破線によって分離されている。前足９０はフットウェアのトウ領域と呼ばれることもある。後足部分９４はヒール領域９６及びカラー領域９８を含む。図１のブーツ２のかなり低い構造を考えると、図１の模範的実施態様では、後足部分９４はヒール領域９６とカラー領域９８とから成っている。しかしながら、他の構造においてヒール領域９６とカラー領域９８との間にさらなる領域が介在することも可能である。
【００５４】
ブーティ５０は、前足部分／トウ領域９０内、ヒール領域９６内、及びカラー領域９８内で、通気性アウタ材料４０、舌革４０、及び集成インソール４４に取り付けられている。具体的には、下述のように、ブーティ５０は種々の接着部分によって所定の位置に固定されている。ブーティ５０は、第１接着部分７０を介して、カラー領域９８内で通気性アウタ材料４０及び舌革４２に取り付けられている。第１接着部分７０は、ブーティ５０の周囲を取り囲んでいる。ブーティ５０は第２接着部分７２を介して、ヒール領域９６内でアウタ材料４０に取り付けられている。第２接着部分７２は、ブーティ５０の周囲の一部を巡って、例えばほぼ半円状に延びている。ブーティ５０は第３接着部分７４を介して、ヒール領域９６内で集成インソール４４に取り付けられている。第３接着部分７４は着用者の足の踵のスタンス面積にほぼ相当する広がりを有している。ブーティ５０はさらに第４接着部分７６を介して、前足部分／トウ領域９０内で集成インソール４４に取り付けられている。さらに、ブーティ５０は第５接着部分７８を介して、前足部分／トウ領域９０内で通気性アウタ材料４０に取り付けられている。第４接着部分７６及び第５接着部分７８は前足部分９０内でアッパー集成体４のほぼ全幅にわたって延びている。言うまでもなく、接着部分の配置は事実上一例に過ぎず、トウ領域、ヒール領域、及びカラー領域内のブーティの位置固定を他の接着剤配置を介して同様に達成することができる。
【００５５】
ブーティ５０は中足部分９２内ではアッパー集成体４の残りとの取り付け部分を含まない。具体的には、図１の模範的実施態様では、ブーティ５０は、通気性アウタ材料４０と舌革４２とを含むアウタ構造物にも、中足部分９２内の集成インソール４４にも取り付けられていない。このようにすると、ブーティ５０は中足部分９２内のアッパー集成体の周囲エレメントに対して自由に動くことができる。相対運動の完全な自由が中足部分内に確立される。このことは使用者に履き心地良いフィット性をもたらす。具体的には、ブーティ５０は、アッパー舌革部分とアッパー集成体４のトウボックス領域の始点との間の領域に相当する中足部分内では、アッパー集成体４の残りに取り付けられていない。
【００５６】
中足部分９２内では、ブーティは着用者の足よりも小さな周囲を有している。このことは図１において次のように示されている。通気性アウタ材料４０と舌革４２とを含むアッパー集成体４のアウタ構造物は、着用者の足の形状及びサイズに概ね相当するように示されている。図１から判るように、中足部分９２内ではブーティ５０の上側の上方に空隙５２が存在している。この空隙５２は、ブーティ５０の周囲が着用者の足の周囲よりも小さいことを示している。着用者の足はアウタ構造物の広がりに概ね相当する。
【００５７】
ブーティ５０は、少なくとも中足部分９２内で周方向に弾性的である。このようになっていると、ブーティ５０は着用者の足の挿入時に延伸することができる。ブーティ５０のこの弾性的な延伸は、ブーティの上側を中足部分９２内の通気性アウタ材料４０及び舌革４２に向かって押し、ひいては着用者の足が挿入されると空隙５２を収縮又は排除する。空気は通気性アウタ材料４０を通って、又は舌革４２を通って逃げることができる。延伸時には、ブーティはその弾性により着用者の足に力を加える。こうして着用者は中足部分９２内で安定した履き心地良いフィット性を経験する一方、アッパー集成体４の周囲部分に対する相対運動の可能性が、動きの自由を保証し、着用者が経験する履き心地良さのレベルを高める。
【００５８】
靴サイズ４３のフットウェアの具体例では、ブーティは中足部分に沿った全ての断面において２００ｍｍ〜２２５ｍｍの周囲を有することができる。このブーティは中足部分内で３０％伸び時に約５Ｎ／ｃｍの周方向弾性を有していてよい。ブーティは中足部分内で長手方向の弾性を有していてもいなくてもよい。例えば、ブーティは中足部分内で１０％伸び時に約５Ｎ／ｃｍの長手方向弾性を有していてよい。
【００５９】
図２は、図１のフットウェア２を示す横断面図である。具体的には、図２は、図１のフットウェア２を、図１の符号Ａ−Ａによって示された断面平面に沿って示している。図２の断面平面は、中足部分を概ねその中央で断面している。
【００６０】
上記のように、ブーティ５０は中足部分９２内では完全に非取り付け型である。このことはさらに図２に示されている。ここではブーティ５０と、周囲の靴構造、つまり集成インソール４４、通気性アウタ材料４０、及び舌革４２との間に、接着部分又は他の取り付け手段は示されていない。また空隙５２はやはり図２にも示されている。具体的には、空隙５２は靴の中心において、集成インソール４４と舌革４２との間の空間の高さの約２０％を有するように示されている。これらの図面は原寸に比例したものではなく、実例を伝えることを目的としたものであることが指摘されるが、空隙５２は集成インソール４４と舌革４２との間の距離の１％〜２０％の高さを有していてよい。上記のように、空隙５２に加えて／その代わりに、ブーティ５０と通気性アウタ材料４０／舌革４２との間には、圧縮性材料が設けられていてもよい。
【００６１】
図３は、本発明の別の模範的実施態様に基づくフットウェア２を示している。図３のフットウェア２は図１及び２のフットウェア２と類似点を有している。図３に関連して説明されていない特徴／エレメントは、上記図１及び図２のフットウェアの説明が参照される。
【００６２】
図３のフットウェア２もアッパー集成体４とソール６とを有している。図３のアッパー集成体４の構造が図１のアッパー集成体４と異なる点は、図３のアッパー集成体４が集成インソールを有していないことである。換言すれば、図３のアッパー集成体４には集成インソールがなく、すなわち、着用者の足の下部に配置され、アッパー集成体の製造中にピボット（pivot）を形成する専用の構造エレメントがない。それどころか、ブーティ５０の下側部分が、アッパー集成体の製造中にピボットの機能を担う。換言すれば、専用の集成インソールではないが、図３のブーティ５０の下側部分が集成インソールの機能を有する。
【００６３】
図３のアッパー集成体４が集成インソールを有していないことに伴って、通気性アウタ材料４０はブーティ５０の下側上にラスティングされる。具体的には、ヒール領域９６内に配置された第３接着部分７４は、ブーティ５０と通気性アウタ材料４０との間の取り付けを可能にする。同様に、トウ領域９０内に配置された第４接着部分７６も、ブーティ５０と通気性アウタ材料４０との間の取り付けを可能にする。図１のフットウェアと比較して、第３接着部分７４はブーティ５０に沿ってより短い長手方向延びを有している。通気性アウタ材料４０のラスティングされた部分は、図１と比較して、図３の実施態様においてより大きい長手方向延びを有している。
【００６４】
図１の実施態様と同様に、図３のフットウェア２のソール６も射出型ソールである。しかしながら、集成インソールが存在しないなかで、図３のソール６は、通気性アウタ材料４０のラスティングされた部分上へ、そしてブーティ５０の下側上へ直接に射出される。射出されると、具体的には射出成形されると、ソール６の材料はブーティ５０に達し、ブーティとの接着結合を形成する。ソール６の材料はまた、第３接着部分７４及び第４接着部分７６に隣接する、通気性アウタ材料４０のラスティングされた部分とブーティ５０との間の空間内に入る。また、ソールの材料は通気性アウタ材料４０のラスティングされた部分の下部にも付着する。このようにすると、射出されたソール材料は、ソール６と通気性アウタ材料４０とブーティ５０との間に強い接着結合をもたらす。ブーティ５０はこうして、中足部分９２内の下側全体に沿ってソール６に取り付けられる。具体的には、ブーティ５０は第３接着部分７４と第４接着部分７６との間でその下側全体に沿ってソール６０に取り付けられている。しかしながら、このことはフットウェア２の全ての長手方向断面に必ずしも当てはまらないことが指摘される。図４に関して明らかなように、ブーティ５０の下側とソール６との間の取り付けは比較的狭い取り付け領域に限定されている。
【００６５】
図４は、図３のフットウェアを示す横断面図である。具体的には、図４は、図３のフットウェア２を、図３の符号Ａ−Ａによって示された断面平面に沿って示している。図４の断面平面は、中足部分を概ねその中央で断面している。
【００６６】
上述のように、図３の模範的実施態様のソール６は、通気性アウタ材料４０のラスティングされた部分と、ブーティ５０の下側とに取り付けられている。図４に示された中足断面では、ソールはブーティ５０の下側に、その中心部分で取り付けられている。中心部分という用語は、横方向におけるブーティの中心の周りの領域を意味する。ソール６とブーティ５０の下側との間の取り付け状態は、中足領域内の全ての横断面において同じ又は類似であってよい。このようにすると、ソール６とブーティ５０との間の取り付けは、比較的小さな面積に限定される。フットウェア構造全体にある程度の安定性を提供する一方、取り付け面積が小さく保たれ、フットウェア２内部のブーティ５０の配置を高度にフレキシブルにし、また動きの自由が着用者によって高レベルで知覚されることになる。
【００６７】
ソール６とブーティ５０との間の取り付け面積を、具体的な用途の要件に基づいて適合させ得ることが指摘される。例えばソール６をブーティ５０に、通気性アウタ材料４０のラスティングされた部分間の幅全体にわたって取り付けることも可能である。取り付け面積は製造中に充分に制御することができる。ソール材料が達することが想定されていない部分内で、ブーティ上に保護層が配置されてよい。この保護層は、ソール６が射出された後、ブーティ５０の下側からその側方部分に沿って引き出すことができる。
【００６８】
図５は、人間の足の骨格を示す上面図である。具体的には、図５は、右足１００及び左足１０２の骨を、それぞれの周囲線によって示された、骨の周りの右足及び左足の広がりを含めて示している。図５の足１００，１０２の描写は、医学書に提供されているような、人間の足の標準的な描写である。
【００６９】
右足１００及び左足１０２の両方において、舟状骨には符号１０４が付けられている。舟状骨の輪郭は足の舟状骨部位１０４と呼ぶこともできる。さらに、右足１００及び左足１０２の両方において、中足１骨に符号１０８が付けられている。各中足１骨１０８の前部は趾骨関節で終わっている。この前端部は符号１０６で示されており、ここでは中足点１−趾骨関節と呼ばれる。
【００７０】
上記のように、中足部分の上側においてブーティとアウタ構造物との間の運動が相対的に自由であることによって、靴の着用者に高レベルの履き心地良さをもたらすことが判っている。さらに、舟状骨部位１０４と中足点１−趾骨関節１０６との間の長さの少なくとも８０％に沿って、具体的には少なくとも９０％に沿って、より具体的には１００％に沿って、このような動きの自由を提供することによって、着用者に特に高レベルの履き心地良さをもたらす。舟状骨部位１０４の最も前側の部分から、中足点１−趾骨関節１０６の最も前側の部分まで測定して、この長さは人間の足の長さの約４０％に相当する。
【００７１】
図６は、本発明の別の模範的実施態様に基づくフットウェア２を示している。図６のフットウェア２は図１及び２のフットウェア２の変更形である。具体的には、図６のフットウェア２のアッパー集成体４は図１及び２のアッパー集成体４と同じであるのに対して、図６のフットウェア２のソール６は図１及び２のソール６の変更形である。図６は図２の断面図と同様の断面図を示している。
【００７２】
図６のフットウェア２のソール６は通気性ソールである。具体的には、ソール６は通気性構造を有している。ソール６は周囲部分６０と安定化バー６２とを有している。安定化バー６２及び周囲部分６０はプラスチック材料から一体成形されていてよい。安定化バー６２は図６の断面図では長手方向バーとして示されているものの、安定化バー６２は異なる方向に配置されていてもよい。具体的には、安定化バー６２は周囲部分６０内部に安定化グリッドを形成してよい。安定化バー６２／安定化グリッドは、ソール６の１つ又は２つ以上の部分にわたって、例えばソール６の前足部分にわたって、且つ／又はソール６のヒール部分にわたって延びていてよい。
【００７３】
安定化バー６２／安定化グリッドの間には、水蒸気放出穴６６が設けられている。水蒸気放出穴６６は直径が比較的大きく、ひいては大量の水蒸気をソール６を通して放出するのを可能にする。水蒸気放出穴６６はソール６を通ってほぼ鉛直方向に延びている。水蒸気放出穴６６の上方には、バリア材料６４が設けられている。具体的には、バリア材料は、ソール６の周囲部分６０の間で、集成インソール４４の下方且つ安定化バー６２の上方に設けられている。バリア材料は通気性、すなわち水蒸気透過性であり、その上方にあるアッパー集成体４を、水蒸気放出穴６６を通って透過し得る外来物から保護する。
【００７４】
図６のフットウェア２は、通気性アウタ材料４０を通して、そしてソール６を通して水蒸気を放出するのを可能にする。水蒸気は着用者の足の下側からブーティ５０を通って、集成インソール４４を通って、バリア材料６４を通って、そして水蒸気放出穴６６を通って、靴の外部環境に移動することができる。ブーティが通気性の防水性積層体によって形成されるのに伴って、着用者の足は水から保護され、また水蒸気放出穴６６を通って水が入ることからも保護される。
【００７５】
図７は、本発明の別の模範的実施態様に基づくフットウェア２を示している。図７のフットウェア２は図１及び２のフットウェア２の変更形である。具体的には、図７のフットウェア２のアッパー集成体４は図１及び２のアッパー集成体４と同じであるのに対して、図７のフットウェア２のソール６は図１及び２のソール６の変更形である。図７は図２の断面図と同様の断面図を示している。
【００７６】
図７のフットウェア２のソール６は、図６のフットウェア２のソール６と同様に通気性ソールである。図６のソール６は、ソールの底部へ向かって水蒸気を放出することに依存するのに対して、図７のソール６は、ソールの横方向側へ向かって水蒸気を放出することに依存する。図７のソール６の底面には水蒸気放出穴がない。しかしながら、本発明の模範的実施態様に基づくフットウェアのソールが、底部へ向かう、そして側方へ向かう水蒸気放出穴を有することも可能である。
【００７７】
図７のソール６は、空気流が通るのを可能にする構造又は材料を有している。この構造又は材料は符号６８で全体的に示されている。構造又は材料６８は、空気流が通るのを可能にし、ひいては靴内部から到来した水蒸気を靴の横方向側及び靴の外側へ向かって輸送するのを可能にする任意の適宜の構造又は材料であってよい。構造又は材料６８は例えばチャネル構造又はスペーサファブリック又はグラニュレートフィル（granulate fill）又は任意の他の適宜の構造又は材料であってよい。ソール６はさらに複数の水蒸気放出穴６６を含む。図７の断面図では、複数の水蒸気放出穴６６のうちの２つが示されている。言うまでもなく、適宜の数の水蒸気放出穴６６がソール６の周囲に配置されていてよい。
【００７８】
水蒸気放出穴６６は、構造又は材料６８からソール６の横方向側へ向かって設けられている。具体的には、水蒸気放出穴６６は図７の模範的実施態様ではほぼ水平である。さらに、水蒸気放出穴６６は図７の模範的実施態様ではほぼ円形である。しかしながら、水蒸気放出穴は任意の適宜の断面を有してよい。
【００７９】
図７のフットウェア２も、通気性アウタ材料４０を通して、そしてソール６を通して水蒸気を放出するのを可能にする。水蒸気は着用者の足の下側からブーティ５０を通って、集成インソール４４を通って、構造又は材料６８内へ入り且つこれを通って、そして水蒸気放出穴６６を通って、靴の外部環境に移動することができる。ソール６の左側と右側との間の空気流路が真直ぐであることにより、水蒸気を、ソール６を通して効率的に放出することができる。ブーティが通気性の防水性積層体によって形成されるのに伴って、着用者の足は水から保護され、また水蒸気放出穴６６を通って水が入ることからも保護される。
【００８０】
図８は、本発明の模範的実施態様のブーティ５０のために使用することができる積層体の模範的実施態様を示す図である。図８Ａは、防水性の通気性三層積層体５１を有している。三層積層体５１は、図８Ａの模範的実施態様ではｅＰＴＦＥメンブレンである機能層５４と、第１布地層５６と、第２布地層５８とを有している。第１及び第２布地層５６，５８は図８Ａの模範的実施態様ではニット層である。
【００８１】
図８Ｂは、防水性の通気性二層積層体５１を有している。二層積層体５１は、図８Ｂの模範的実施態様ではｅＰＴＦＥメンブレンである機能層５４と、図８Ｂの模範的実施態様ではニット層である布地層５６とを有している。積層体５１はブーティ５０のために任意の配向で使用することができる。すなわち、二層積層体５１は、機能層５４が着用者の足に面する状態で、そして布地層５６が着用者の足に面する状態で使用することができる。
【００８２】
試験法及び定義
ＤＩＮ  ＥＮ  ３４３  （２０１０）に指定された要件を満たす場合、すなわちＥＮ  ２０  ８１１  （１９９２）に基づく静水圧に関する液体水抵抗試験が８０００Ｐａ以上の液体水抵抗を生じさせる場合に、機能層及び積層体が防水性を有すると考えられる。
【００８３】
機能層及び機能層を含む積層体に関して本明細書中に使用される水蒸気透過性を、「カップテスト」としても知られているＥＮ  ＩＳＯ  １５４９６で試験して定義する。２０×２０ｃｍ又はφ１００ｍｍの防水性の通気性積層体の試料を、水を含む容器上に置き、メンブレンでカバーする。次いで酢酸カリウムを含み同じメンブレンによってカバーされたカップを試料上に置く。水蒸気が積層体を通ってカップ内へ入る。カップの質量増加を次いで割り出す。水蒸気透過率が０．０１ｇ／（Ｐａ＊ｍ２＊ｈ）以上である場合には、その積層体は水蒸気透過性又は通気性であると考えられる。所要のサイズの試料が得られない場合には、規範において指定されたものの半分の量、すなわち１００ｇの代わりに５０ｇの酢酸カリウムを含有して１５．６ｇの水と混合されたより小さなカップを使用して、測定のためにより小さな試料を使用することができる。水蒸気透過性及び通気性という用語は本明細書中では相互置き換え可能に使用される。従って、防水性の通気性積層体は防水性の水蒸気透過性積層体と呼ぶこともできる。
【００８４】
米国特許第５，３２９，８０７号明細書に記載された遠心分離試験を用いて、それぞれのフットウェアの防水性を見極めることができる。前記明細書は全体的に参照することにより本明細書に援用される。遠心分離試験は３０分間にわたって実施することができる。３０分後に漏れが見られない場合、フットウェア物品は防水性であると考えられる。
【００８５】
米国国防省陸軍戦闘用ブーツ温帯気候仕様（Department of Defense Army Combat Boot Temperate Weather Specifications）に従って、全ブーツ水蒸気透過速度試験（Whole Boot Moisture Vapor Transmission Rate Test）を見極めることに基づいて、フットウェアの通気性を評価することができる。仕様は以下の通りである。
【００８６】
全ブーツ通気性
全ブーツ通気性試験は、内部環境と外部環境との水蒸気の濃度の差によって試料を通る水蒸気透過速度（Moisture Vapor Transmission Rate）（ＭＶＴＲ）を示すように設計されるものとする。
【００８７】
装置
ａ．  外部試験環境制御システムは、試験時間全体を通して２３（±１）℃及び５０％±２％の相対湿度を維持することができるものとする。
ｂ．  質量計は、水を充填された試料の質量を（±０．０１）グラムの精度まで測定することができるものとする。
ｃ．  保水バッグは、試料中に挿入され内部輪郭に対してコンフォーミングし得るように可撓性であるものとする。これは、折り目が空隙を形成することがないように充分に薄くなければならず、被験フットウェア製品よりも著しく高いＭＶＴＲを有していなければならず、そしてこれは、水蒸気だけがフットウェア製品の内部に接触して液体水は接触しないように防水性でなければならない。
ｄ．  試料のための内部ヒータは、試料中で液体水の温度を３５（±１）℃に均一に制御し得るものとする。
ｅ．  試料のカラーの周りのシーリング法は、液体水及び水蒸気の両方を通さないものとする。
【００８８】
手順
ａ．  試料を試験環境・条件に少なくとも１２時間にわたって置く。
ｂ．  加熱装置を保水バッグ内に挿入し、次いで完成した集成体を試料の履口内に入れ、そして内側ソールから測定して５ｃｍの高さまで水を充填する。
ｃ．  カラーの周りの履口を、フットウェアの頂部の周りでプラスチック・ラップによってシールし、そして、包装用テープを使用してテーピングする。
ｄ．  試料内の水を３５℃まで加熱する。
ｅ．  試料を計量してＷｉとして記録する。
ｆ．  計量後の試料内の温度を最小４時間にわたって保持する。
ｇ．  最小４時間後に試料を再計量する。質量をＷｆとして、そして試験時間をＴｄとして記録する。
ｈ．  試料のＭＶＴＲを下記等式：
MVTR = (Wi - Wf)/Td
からグラム／時間で計算する。
【００８９】
この試験は、ＡＳＴＭ  Ｄ８０４１  （２０１６）に基づく。
【００９０】
例えば、欧州靴サイズ４２のローアンクルシューズの場合、上記計算値が１．５グラム／時間を上回る場合に、フットウェアは通気性であると考えることができる。靴サイズがより大きい／より小さい場合には、靴の表面積の増／減に従って前記限界値を推定することができる。
【００９１】
ブーティ全体の防水性及び通気性を、上記のように、それぞれ遠心分離試験及び全ブーツ水蒸気透過速度試験を用いることによって見極めてもよい。
【００９２】
ＤＩＮ  ＥＮ  １４７０４−１（２００５年７月）の方法Ａに基づいて、積層体及びブーティの弾性を測定することができる。試験はこの方法に定められている通りに実施することができるものの、次の形態、すなわち試料幅＝２５ｍｍ、試料試験長さ＝５０ｍｍ（ＤＩＮ  ＥＮではゲージ長と呼ばれる試験長さ、引張機クランプ間の試料の長さ）、試料の全長＝１００〜１５０ｍｍを用いる。試料に３〜５回の連続的な試験サイクルを施す。各試験サイクルでは、形成されたブーティに対して周方向にカットされた試料の場合には前記ゲージ長の３０％の一定の伸長を、そして形成されたブーティに対して長手方向にカットされた試料の場合には前記ゲージ長の１０％の一定の伸長を、試料に施す。そして最後のサイクルの最大力を測定する。試料の伸長・収縮速度を２５０ｍｍ／ｍｉｎに設定することが望ましい。最終サイクルが終了した後、試験片を平らな面上に置き、そしてゲージ長内の適用された基準マーカー間の長さを目盛り付きルーラで測定することにより、試験片の長さを測定する。適用された基準マーカー間の最終長さを前記基準マーカー間の元の長さから引き算し、次いで前記基準マーカー間の元の長さによって割り算し、そして最後にその結果を１００で掛け算することによって、％で表される弾性回復率を計算する。その他の点では、試験条件はＤＩＮ  ＥＮ  １４７０４−１（２００５年７月）の方法Ａに定められている通りである。材料が力又は伸長を加えた時に伸長し、そして加えられた力又は伸長を取り除いた後、その元の長さに向かって回復する材料特性として、弾性が定義される。従って、試験片の弾性は、伸長が加えられている間に記録された力を測定し（又はその逆）、そして前記加えられた力又は伸長が取り除かれた後、材料がその元の長さに向かって回復する能力を測定することにより割り出される。
【００９３】
模範的実施態様を参照しながら本発明を説明してきたが、本発明の範囲を逸脱することなしに種々の変更を加え得ること、そして本発明のエレメントを等価物と置き換え得ることが当業者には明らかである。加えて、本発明の本質的な範囲を逸脱することなしに本発明の教示内容に具体的な状況又は材料を適合させるために、数多くの改変を加えることもできる。従って、本発明は開示された特定の実施態様に限定されるのではなく、本発明は添付の請求項の範囲に含まれるあらゆる実施態様を含むものとする。
【図１】
2020527078.tif 000003
【図２】
2020527078.tif 000004
【図３】
2020527078.tif 000005
【図４】
2020527078.tif 000006
【図５】
2020527078.tif 000007
【図６】
2020527078.tif 000008
【図７】
2020527078.tif 000009
【図８Ａ】
2020527078.tif 000010
【図８Ｂ】
2020527078.tif 000011
【国際調査報告】
2020527078.tif 000012
2020527078.tif 000013
2020527078.tif 000014